【事件の表示】
　特願２０１７−５５３９０６号「照光制御装置」拒絶査定不服審判事件〔平成２８年１０月２０日国際公開、ＷＯ２０１６／１６６０２３号、平成３０年６月７日国内公表、特表２０１８−５１４９１２号、請求項の数（１５）〕について、次のとおり審決する。
【結　論】
　原査定を取り消す。
　本願の発明は、特許すべきものとする。
【理　由】
第１　手続の経緯
　本願は、２０１６年（平成２８年）４月８日（パリ条約による優先権主張外国庁受理２０１５年４月１６日、欧州）を国際出願日とする出願であって、令和１年４月５日に特許請求の範囲について補正する手続補正書が提出され、令和２年３月１６日付けで拒絶理由通知がされ、同年９月１７日に意見書が提出されるとともに、特許請求の範囲について補正する手続補正書が提出されたが、同年１２月２１日付けで拒絶査定（以下、「原査定」という。）がされ、これに対して、令和３年４月２１日に拒絶査定に対する審判請求をされると同時に、特許請求の範囲について補正する手続補正書が提出されたものである。
第２　原査定の概要
１　（理由１）この出願の下記の請求項に係る発明は、その優先権主張の日（以下「優先日」という。）前に日本国内又は外国において、下記の頒布された刊行物に記載された発明又は電気通信回線を通じて公衆に利用可能となった発明であるから、特許法第２９条第１項第３号に該当し、特許を受けることができない。
２　（理由２）この出願の下記の請求項に係る発明は、その優先日前に日本国内又は外国において、下記の頒布された刊行物に記載された発明又は電気通信回線を通じて公衆に利用可能となった発明に基いて、その出願前にその発明の属する技術の分野における通常の知識を有する者（以下、「当業者」という。）が容易に発明をすることができたものであるから、特許法第２９条第２項の規定により特許を受けることができない。
　　　　　　　　　　　　　　　　　記
（１）理由１，２について
・請求項　１〜３，５，６，１１〜１３，１５
・引用文献　１
（２）理由２について
・請求項　４，７，１４
・引用文献　１
・請求項　８〜１０
・引用文献　１，２
・引用文献等一覧
１．特開２０１１−１３８６４５号公報
２．米国特許出願公開第２０１２／０１０１５５４号明細書
第３　本願発明
　本願の請求項１〜１５に係る発明（以下、それぞれ、「本願発明１」〜「本願発明１５」という。）は、令和３年４月２１日の手続補正書により補正された特許請求の範囲の請求項１〜１５に記載された事項により特定される以下のとおりのものと認められる。
「【請求項１】
　少なくとも１つの発光デバイスから放射される光を１つ又は複数の制御信号を用いて制御するための照光制御装置であって、
　前記照光制御装置は、
　第１のユーザから光制御入力データを受信するための照光入力受信デバイスであって、
前記光制御入力データは、少なくとも１つの発光デバイスから放射される照明効果光を制御するための前記第１のユーザの所望の照光要求入力である、照光入力受信デバイスと、
　第２のユーザの生理又は認知状態に関連付けられたデータを受信するためのユーザデータ受信デバイスと、
　前記光制御入力データ、及び前記第２のユーザの生理又は認知状態に関連付けられた前記データに基づいて前記１つ又は複数の制御信号を生成するためのプロセッサと、
　前記１つ又は複数の制御信号を出力する照光制御出力ユニットと、を備える、
　照光制御装置。
　　【請求項２】
　前記少なくとも１つの発光デバイスが照光空間内に配置されており、
　前記照光制御装置が、前記照光空間内における前記第２のユーザの存在を指示するデータを受信し、
　前記プロセッサが、前記指示するデータに更に基づいて前記１つ又は複数の制御信号を生成する、
　請求項１に記載の照光制御装置。
　　【請求項３】
　前記光制御入力データは、前記少なくとも１つの発光デバイスからの第１の光出力状態に関連付けられ、
　前記１つ又は複数の制御信号は前記少なくとも１つの発光デバイスからの第２の光出力状態に関連付けられ、前記第１の光出力状態は前記第２の光出力状態とは異なる、
　請求項１又は２に記載の照光制御装置。
　　【請求項４】
　前記少なくとも１つの発光デバイスが、複数の異なる光出力状態を出力し、
　前記光制御入力データが前記光出力状態の第１の範囲内の光出力状態に対応し、
　前記プロセッサが、前記１つ又は複数の制御信号を、光出力状態の第２の範囲内の１つ又は複数の光出力状態に対応するように生成し、前記第２の範囲は前記第１の範囲とは異なり、
　前記プロセッサが、前記光制御入力データを、前記第２の範囲内の光出力状態に対応するように変更し、
　変更された前記光制御入力データを用いて前記１つ又は複数の制御信号を生成するか、
　又は、
　前記光制御入力データが前記第２の範囲内の光出力状態に対応する場合にのみ、前記光制御入力データを用いて１つ又は複数の前記制御信号を生成する、
　請求項１乃至３のいずれか一項に記載の照光制御装置。
　　【請求項５】
　前記プロセッサは、前記第２のユーザの生理又は認知状態に関連付けられた前記データに基づいて所定の制御情報を選択し、
　選択された前記所定の制御情報を用いて前記１つ又は複数の制御信号を生成する、
　請求項１乃至３のいずれか一項に記載の照光制御装置。
　　【請求項６】
　前記プロセッサが、前記第２のユーザの生理又は認知状態に関連付けられた前記データに基づいて制御情報の所定のセットにアクセスし、
　前記光制御入力データに基づいて前記所定のセットから前記制御情報を選択し、
　選択された前記制御情報を用いて前記１つ又は複数の制御信号を生成する、
　請求項１乃至３のいずれか一項に記載の照光制御装置。
　　【請求項７】
　前記照光制御出力ユニットが、前記１つ又は複数の制御信号を、複数の発光デバイスを備える照光制御ネットワークへ出力する、
　請求項１乃至６のいずれか一項に記載の照光制御装置。
　　【請求項８】
　請求項１乃至７のいずれか一項に記載の照光制御装置を備えるシステムであって、
　前記第２のユーザ上に着用され、
　前記第２のユーザの生理又は認知状態を監視し、
　前記第２のユーザの生理又は認知状態に関連付けられた前記データを前記ユーザデータ受信デバイスへ出力するウェアラブルデバイスを更に備える、
　システム。
　　【請求項９】
　前記光制御入力データに関連付けられる前記第１のユーザからの入力要求を受け取り、
　前記光制御入力データを前記照光入力受信デバイスへ出力する、光制御入力デバイスを更に備える、
　請求項８に記載のシステム。
　　【請求項１０】
　前記少なくとも１つの発光デバイスを更に備える、
　請求項８又は９に記載のシステム。
　　【請求項１１】
　少なくとも１つの発光デバイスから放射される光を１つ又は複数の制御信号を用いて制御するための方法であって、前記方法は、
　第１のユーザから光制御入力データを受信するステップであって、前記光制御入力データは、少なくとも１つの発光デバイスから放射される照明効果光を制御するための前記第１のユーザの所望の照光要求入力である、ステップと、
　第２のユーザの生理又は認知状態に関連付けられたデータを受信するステップと、
　プロセッサを用いて、前記光制御入力データ及び生理又は認知状態データに基づいて前記１つ又は複数の制御信号を生成するステップと、
　前記１つ又は複数の制御信号を前記少なくとも１つの発光デバイスへ出力するステップとを含む、
　方法。
　　【請求項１２】
　前記１つ又は複数の発光デバイスが照光空間内に配置されており、前記方法は、
　前記照光空間内における前記第２のユーザの存在を指示するデータを受信するステップと、
　前記指示するデータに更に基づいて前記１つ又は複数の制御信号を生成するステップと
を含む、
　請求項１１に記載の方法。
　　【請求項１３】
　前記光制御入力データは、前記少なくとも１つの発光デバイスからの第１の光出力状態に関連付けられ、
　前記１つ又は複数の制御信号は前記少なくとも１つの発光デバイスからの第２の光出力状態に関連付けられ、前記第１の光出力状態は前記第２の光出力状態とは異なる、
　請求項１１又は１２に記載の方法。
　　【請求項１４】
　前記少なくとも１つの発光デバイスは、複数の異なる光出力状態を出力し、前記光制御入力データは前記光出力状態の第１の範囲内の光出力状態に対応し、前記方法は、
　前記１つ又は複数の制御信号を、前記光出力状態の第２の範囲内の１つ又は複数の光出力状態に対応するように生成するステップであって、前記第２の範囲は前記第１の範囲とは異なる、生成するステップと、
　前記光制御入力データを、前記第２の範囲内の光出力状態に対応するように変更し、
　変更された前記光制御入力データを用いて前記１つ又は複数の制御信号を生成するステップ、
　又は、
　前記光制御入力データが前記第２の範囲内の光出力状態に対応する場合にのみ、前記光制御入力データを用いて前記１つ又は複数の制御信号を生成するステップ、
　のうちのいずれか１つ又は複数を含む、
　請求項１１乃至１３のいずれか一項に記載の方法。
　　【請求項１５】
　前記第２のユーザの生理又は認知状態に関連付けられた前記データに基づいて所定の制御情報を選択するステップと、
　選択された前記所定の制御情報を用いて前記１つ又は複数の制御信号を生成するステップと、を更に含む、
　請求項１１乃至１３のいずれか一項に記載の方法。」
第４　引用文献の記載事項等
１　引用文献１にについて
（１）引用文献１の記載事項
　引用文献１には、図面とともに以下の事項が記載されている（下線は当審が付与。以下同様。）
「【技術分野】
【０００１】
　本発明は、病院や介護施設などで患者や被介護者が移動する際に患者や被介護者の足元を照らす照明システムに関する。」
「【発明が解決しようとする課題】
【０００７】
　本発明は、このような問題を解決するために成されたものであり、患者と同じ部屋で寝ている別の患者の睡眠をできるだけ妨げないようにしながら、患者のベッドと部屋の出入口との間を患者が容易に移動できるようにすることを目的とする。」
「【００１２】
　図１において、
制御装置１は
照明を点灯したり消灯したりする
【００１３】
　第一の照明装置２は、ランプなどにより構成されており、患者の足元を照明するためのものである。ここで、
第一の照明装置２は、患者が使用している各ベッド近傍に
設置されている
【００１４】
　第二の照明装置３は、ランプなどにより構成されており、部屋の出入口付近の足元部分を照明するためのものである。ここで、
第二の照明装置３は、部屋の出入口付近に
設置されている
【００１５】
　また、第一の照明装置２と第二の照明装置３とを同時に点灯することで、患者のベッド付近の床と部屋の出入口付近の床とが照明される。これにより、ベッド付近に居る患者は、その場所から部屋の出入口までの経路を明確に認識することができるとともに、部屋の出入口付近に居る患者は、その場所から患者のベッドまでの経路を明確に認識することができる。
【００１６】
　離床センサ４は、シート状のセンサなどにより構成されており、患者がベッドから降りたことを検出するためのものである。ここで、
離床センサ４は
各ベッド近傍の床に設置されている
離床センサ４は、制御装置１に伝送線を介して接続されている
離床センサ４は
離床検出信号を制御装置１へ出力する
離床検出信号は
離床センサ識別情報
部屋識別情報
を含む
【００１７】
　入退室センサ５は、赤外線センサなどにより構成されており、人が部屋に入退室したことを検出するためのものである。ここで、
入退室センサ５は、部屋の出入口付近に設置されている
入退室センサ５は、制御装置１に伝送線を介して接続されている
【００１８】
　具体的には、放射されている二本の赤外線のうち、部屋の内側で放射されている赤外線が遮られてから部屋の外側で放射されている赤外線が遮られたと入退室センサ５にて判断した場合に、入退室センサ５は、人が部屋から退室したことを検出する。このとき、
入退室センサ５は、退室検出信号を制御装置１へ出力する
入退室センサ５は、入室検出信号を制御装置１へ出力する
「【００３０】
　以上、詳しく説明したように、本実施形態の照明システムでは、
患者がベッドから降りたことを離床センサ４にて検出した場合に
特定される第一の照明装置２および第二の照明装置３を点灯させる
【００３１】
　
その後、患者の退室を入退室センサ５にて検出した場合に
制御装置１は
特定される第一の照明装置２および第二の照明装置３を消灯させる
このとき、制御装置１は
退室情報を、取得した第一の照明装置２の照明装置識別情報に関連付けて記憶装置６に記憶させる
【００３２】
　
そして、患者の入室を入退室センサ５にて検出した場合に
制御装置１は
記憶装置６に記憶されている照明装置識別情報の中から退室情報が関連付けて記憶されているものを取得して、取得した照明装置識別情報により特定される第一の照明装置２および第二の照明装置３を点灯させる
図１
図２
図３
（２）引用文献１の記載から認めら得ること
ア　【００１２】〜【００１４】の記載によれば、
制御装置１は、患者が使用している各ベッド近傍に設置される第一の照明装置２と、部屋の出入口付近に設置される第二の照明装置３を点灯したり消灯したりする
イ　【００１６】の記載によれば、
制御装置１は、各ベッド近傍の床に設置される離床センサ４から伝送線を介して離床検出信号を受信する
制御装置１は、部屋の出入口付近に設置される入退室センサ５から伝送線を介して退室検出信号又は入室検出信号を受信する
ウ　【００１６】、【００３０】〜【００３２】の記載によれば、
制御装置１は、患者がベッドから降りたことを離床センサ４にて検出した場合に、その離床センサからの離床検出信号により特定される第一の照明装置２および第二の照明装置３を点灯させ、その後、患者の退室を入退室センサ５にて検出した場合に、前記第一の照明装置２および第二の照明装置３を消灯させ、このとき、退室情報を、前記第一の照明装置２の照明装置識別情報に関連付けて記憶装置６に記憶させ、そして、患者の入室を入退室センサ５にて検出した場合に、記憶装置６に記憶されている照明装置識別情報の中から退室情報が関連付けて記憶されているものを取得して、取得した照明装置識別情報により特定される第一の照明装置２および第二の照明装置３を点灯させる
（３）引用発明１−１
　上記（２）ア〜ウを総合すると、引用文献１には、制御装置として、以下の発明（以下、「引用発明１−１」という。）が記載されていると認められる。
「患者が使用している各ベッド近傍に設置される第一の照明装置２と、部屋の出入口付近に設置される第二の照明装置３を点灯したり消灯したりする制御装置１において、
　各ベッド近傍の床に設置される離床センサ４から伝送線を介して離床検出信号を受信し、
　部屋の出入口付近に設置される入退室センサ５から伝送線を介して退室検出信号又は入室検出信号を受信し、
　制御装置１は、患者がベッドから降りたことを離床センサ４にて検出した場合に、その離床センサからの離床検出信号により特定される第一の照明装置２および第二の照明装置３を点灯させ、その後、患者の退室を入退室センサ５にて検出した場合に、前記第一の照明装置２および第二の照明装置３を消灯させ、このとき、退室情報を、前記第一の照明装置２の照明装置識別情報に関連付けて記憶装置６に記憶させ、そして、患者の入室を入退室センサ５にて検出した場合に、記憶装置６に記憶されている照明装置識別情報の中から退室情報が関連付けて記憶されているものを取得して、取得した照明装置識別情報により特定される第一の照明装置２および第二の照明装置３を点灯させる、
　制御装置１。」
（４）引用発明１−２
　上記（２）、（３）を総合すると、引用文献１には、方法として、以下の発明（以下、「引用発明１−２」という。）が記載されていると認められる。
「患者が使用している各ベッド近傍に設置される第一の照明装置２と、部屋の出入口付近に設置される第二の照明装置３を点灯したり消灯したりする方法において、
　患者がベッドから降りたことを離床センサ４にて検出した場合に、その離床センサからの離床検出信号により特定される第一の照明装置２および第二の照明装置３を点灯させ、その後、患者の退室を入退室センサ５にて検出した場合に、前記第一の照明装置２および第二の照明装置３を消灯させ、このとき、退室情報を、前記第一の照明装置２の照明装置識別情報に関連付けて記憶装置６に記憶させ、そして、患者の入室を入退室センサ５にて検出した場合に、記憶装置６に記憶されている照明装置識別情報の中から退室情報が関連付けて記憶されているものを取得して、取得した照明装置識別情報により特定される第一の照明装置２および第二の照明装置３を点灯させる、
　上記方法。」
２　引用文献２について
　引用文献２には、図面とともに以下の事項が記載されている（和訳は当審が作成した。）。
「[0008]　While a light system provides wellness benefits to a user, different users tend to have different responses to the application of light. With different users having different responses to the application of light, it is desirable to include a feedback to the system so that the system may be suitably tuned to the particular user's characteristics. While many users will tend to have similar characteristics, most users will have somewhat different responses to the application of light for therapeutic and wellness benefits. With a suitable application of light, selected for the particular user based upon their individual characteristics, the user may achieve the improved health and wellness benefits.」
（和訳：[0008]　ある光システムはあるユーザに健康上の利益を提供するが、異なるユーザは光の照射に対して異なる反応をする傾向にある。異なるユーザは光の照射に対して異なる反応をするので、そのシステムが特定のユーザの特性に適切に適合できるように、そのシステムへのフィードバックを含むことが好ましい。多くのユーザが似た傾向を持つ傾向にあるが、ほとんどのユーザが、治療と健康の利益のための光の照射に対してやや異なる反応をする。個別の特性に基づいて、特定のユーザに対して選ばれた、適切な光の照射であれば、そのユーザは、改善された健康の利益を得ることができる。）
「[0010]　Referring to FIG. 1, a lighting system may be controlled by a light controller to manage a number of different attributes, each of which may individually or collectively contribute to the wellness and health of a user.・・・」
（和訳：[0010]　図１を参照すると、照明システムは、ある１人のユーザの健康に個別的に又は限定的に寄与し得る、多くの異なる属性を管理する光制御装置によって制御することができる。・・・）
「[0012]　Referring to FIG. 2, an analysis engine may be used to selectively control the light controller interconnected to the lighting system. The analysis engine may be operating on a local computer, a service on the Internet, or operating on a cloud computing platform, or otherwise.・・・」
（和訳：[0012]　図２を参照すると、分析エンジンは、照明システムに相互接続される光制御装置を限定的に制御するために使用することができる。分析エンジンは、ローカルコンピュータや、インターネット上のサービス、すなわち、クラウド・コンピューティング・プラットフォームやその他のもので、動作できる。・・・）
「[0019]　In addition, sensors associated with the user may likewise provide data to the analysis engine. The sensors may include physiological sensors and light sensitive sensors in the environment of the user. Preferably, the light sensitive sensors and the physiological sensors are worn by the user.・・・」
（和訳：[0019]　加えて、ユーザに関するセンサは、同様に、分析エンジンにデータを提供できる。それらセンサは、生理的センサと光センサを含むことができる。好ましくは、光センサと生理的センサはそのユーザに装着される。）
図１
図２
第５　対比・判断
１　本願発明１について
（１）対比
　本願発明１と引用発明１−１とを対比すると、後者の「第一の照明装置２」及び「第二の照明装置３」は、前者の「発光デバイス」に相当し、以下同様に、「制御装置１」は「照光制御装置」に相当する。
　後者の「制御装置１」は、何らかの信号を用いて第一の照明装置２や第二の照明装置３を点灯したり消灯したりするのは明らかであるから、後者の「患者が使用している各ベッド近傍に設置される第一の照明装置２と、部屋の出入口付近に設置される第二の照明装置３を点灯したり消灯したりする制御装置１」は、前者の「少なくとも１つの発光デバイスから放射される光を１つ又は複数の制御信号を用いて制御するための照光制御装置」に相当する。
　そうすると、本願発明１と引用発明１−１との一致点及び相違点は、以下のとおりである。
＜一致点１＞
　少なくとも１つの発光デバイスから放射される光を１つ又は複数の制御信号を用いて制御するための照光制御装置。
＜相違点１＞
　照光制御装置が、本願発明１では、「第１のユーザから光制御入力データを受信するための照光入力受信デバイスであって、前記光制御入力データは、少なくとも１つの発光デバイスから放射される照明効果光を制御するための前記第１のユーザの所望の照光要求入力である、照光入力受信デバイスと、第２のユーザの生理又は認知状態に関連付けられたデータを受信するためのユーザデータ受信デバイスと、前記光制御入力データ、及び前記第２のユーザの生理又は認知状態に関連付けられた前記データに基づいて前記１つ又は複数の制御信号を生成するためのプロセッサと、前記１つ又は複数の制御信号を出力する照光制御出力ユニットと、を備える」のに対して、引用発明１−１では、そのような構成を備えない点。
（２）判断
　相違点１は、実質的な相違点であるので、本願発明１は引用発明１−１であるということはできない。
　相違点１に係る本願発明１の構成は、第１のユーザからの光制御入力データと第２のユーザの生理又は認知状態に関連付けられたデータに基づいて発光デバイスを制御するものであり、複数の患者からのデータに基づいて照明装置を制御するものではない。
　これに対して、引用発明１−１は、入院している患者が、夜間に同室の他の患者の睡眠の妨げがないように病室の入退室がしやすくするために（引用文献１の【０００１】及び【０００７】参照）、離床センサ４と入退室センサ５を利用して第一の照明装置２と第二の照明装置３の制御をするものであり、単一の患者の行動に関するデータに基づいて照明装置を制御するものであるといえる。そして、引用文献１には、複数の患者からのデータに基づいて照明装置を制御することや、一方の患者のデータについてその生理又は認知状態に関連付けられたデータを用いることについては、何ら記載されておらず、示唆もない。そうすると、引用文献１には、相違点１に係る本願発明１の構成を採用することについて、動機付けがあるとは認められない。
　また、引用文献２には、ユーザごとに適切な光を提供できるよう、ユーザの生理的データの情報を用いた光制御の技術が記載されているが、単一のユーザの情報に基づいて当該ユーザに対して制御するものであり、複数のユーザからのデータに基づいて照明を制御するというものではない。してみると、仮に、引用発明１−１に対して引用文献２に記載の光制御の技術を適用したとしても、相違点１に係る本願発明の構成とはならない。
　したがって、本願発明１は、引用発明１−１に基いて、又は、引用発明１−１及び引用文献２に記載の技術に基いて、当業者が容易に発明をすることができたものとはいえない。
　よって、本願発明１は、引用発明１−１であるということはできず、また、引用発明１−１に基づいて、又は引用発明１−１及び引用文献２に記載された技術に基いて、当業者が容易に発明をすることができたものということはできない。
２　本願発明２〜１０について
　本願発明２〜１０は、本願発明１の全ての構成を含み、本願発明１の構成を更に限定するものであるから、上記１（２）で説示したとおり、本願発明２，３，５，６は引用発明１−１であるということはできず、また、本願発明２〜１０は、引用発明１−１に基いて、又は、引用発明１−１及び引用文献２に記載された技術に基いて、当業者が容易に発明をすることができたものとはいえない。
３　本願発明１１について
（１）対比
　上記１（１）の対比を踏まえつつ、本願発明１１と引用発明１−２を対比すると、その一致点及び相違点は、以下のとおりである。
＜一致点２＞
　少なくとも１つの発光デバイスから放射される光を１つ又は複数の制御信号を用いて制御するための方法。
＜相違点２＞
　本願発明１１は、「第１のユーザから光制御入力データを受信するステップであって、前記光制御入力データは、少なくとも１つの発光デバイスから放射される照明効果光を制御するための前記第１のユーザの所望の照光要求入力である、ステップと、第２のユーザの生理又は認知状態に関連付けられたデータを受信するステップと、プロセッサを用いて、前記光制御入力データ及び生理又は認知状態データに基づいて前記１つ又は複数の制御信号を生成するステップと、前記１つ又は複数の制御信号を前記少なくとも１つの発光デバイスへ出力するステップと」を含むのに対し、引用発明１−２は、そのような構成（ステップ）を含まない点。
（２）判断
　相違点２は、実質的な相違点であるから、本願発明１１は、引用発明１−２ではないことは明らかである。
　また、相違点２は、実質的に相違点１と同じであるから、上記１（２）で説示したのと同じ理由により、本願発明１１は、引用発明１−２に基いて、又は、引用発明１−２及び引用文献２に記載された技術に基いて、当業者が容易に発明をすることができたものであるとはいえない。
４　本願発明１２〜１５について
　本願発明１２〜１５は、本願発明１１の全ての構成を含み、本願発明１１の構成を更に限定するものであるから、上記３（２）で説示したとおり、本願発明１２，１３，１５は引用発明１−２ではなく、本願発明１２〜１５は、引用発明１−２に基いて、当業者が容易に発明をすることができたものとはいえない。
　なお、上記３（２）で説示したとおり、本願発明１２〜１５は、引用発明１−２及び引用文献２に記載された技術に基いて、当業者が容易に発明をすることができたものともいえない
第６　原査定について
　上記第５で説示したとおり、本願発明１〜３，５，６，１１〜１３，１５は、引用文献１に記載された発明ではなく、引用文献１に記載された発明に基いて、当業者が容易に発明をすることができたものとはいえず、本願発明４，７，１４も、引用文献１に記載された発明に基いて、当業者が容易に発明をすることができたものとはいえず、本願発明８〜１０は、引用文献１に記載された発明及び引用文献２に記載された技術に基いて、当業者が容易に発明をすることができたものとはいえない。
　したがって、原査定の拒絶理由は維持できない。
第７　むすび
　以上のとおり、原査定の拒絶理由によっては、本願を拒絶することはできない。 
　また、他に本願を拒絶すべき理由を発見しない。
　よって、結論のとおり審決する。